(57)【要約】【課題】前述の照明写真ボックスにとどまらず、スタジオポートレートを撮影する写真館や、その他様々な状況下で、個々人の属性に適合したそれぞれにとって好ましい人物画像、顔画像を得る被写体撮影システム及び被写体照明システムを提供する。【解決手段】被写体４０を撮影して被写体画像を取得する撮影手段３０と、被写体４０の撮影条件を設定する撮影条件設定手段３１と、を備え、撮影条件設定手段３１で定められた撮影条件で被写体４０の撮影を行う被写体撮影システム１において、被写体４０の属性に関する情報である被写体属性情報を取得する被写体属性情報取得手段３２を具備し、撮影条件設定手段３１は、被写体属性情報取得手段３２から得られた被写体属性情報に基づいて被写体４０の撮影条件を定める。【選択図】図１
2005114928.tif 000002
【特許請求の範囲】
【請求項１】
被写体を撮影して被写体画像を取得する撮影手段と、
前記被写体の撮影条件を設定する撮影条件設定手段と、を備え、
前記撮影条件設定手段で定められた撮影条件で前記被写体の撮影を行う被写体撮影システムにおいて、
前記被写体の属性に関する情報である被写体属性情報を取得する被写体属性情報取得手段を具備し、
前記撮影条件設定手段は、前記被写体属性情報取得手段から得られた被写体属性情報に基づいて前記被写体の撮影条件を定めることを特徴とする被写体撮影システム。
【請求項２】
前記撮影条件設定手段は、
前記被写体の照明条件を調節する機能を有することを特徴とする、請求項１に記載の被写体撮影システム。
【請求項３】
前記撮影条件設定手段が行う照明条件の調節は、
前記被写体を照明する光線の前記被写体への入射方向の分布特性を調節するものであることを特徴とする請求項２に記載の被写体撮影システム。
【請求項４】
前記撮影手段は、
前記被写体画像の取得に先立ち、同一被写体を所定の撮影条件で撮影してプレ撮影画像を取得し、
前記被写体属性情報取得手段は、前記プレ撮影画像から前記被写体属性情報を抽出することを特徴とする請求項１乃至請求項３項のいずれか１項に記載の被写体撮影システム。
【請求項５】
前記被写体属性情報取得手段は、
被写体撮影システムのオペレータ、または、被写体人物自らが前記被写体属性情報を含む被写体情報を設定、指示する被写体情報入力手段を具備することを特徴とする請求項１乃至請求項３項のいずれか１項に記載の被写体撮影システム。    
【請求項６】
前記被写体属性情報取得手段は、
複数の被写体属性情報抽出手法を有し、
さらに、前記被写体属性情報取得手段は、被写体撮影システムのオペレータ、または、被写体人物自らが被写体に関する情報である被写体情報を設定、指示する被写体情報入力手段を具備し、
前記被写体情報入力手段から得られた前記被写体情報に基づいて、前記複数の被写体属性情報抽出手法から選択して用いることを特徴とする請求項１乃至請求項４項のいずれか１項に記載の被写体撮影システム。
【請求項７】
前記被写体情報入力手段は、さらに、被写体の個人認証情報を取得し、
取得した個人認証情報に対応した被写体属性情報を取得することを特徴とする事を特徴とする請求項５または請求項６に記載の被写体撮影システム。
【請求項８】
前記被写体画像に画像処理を施して処理済画像情報を生成する画像処理手段を具備し、
前記画像処理は前記被写体属性情報に基づいて行われることを特徴とする請求項１乃至請求項７のいずれか１項に記載の被写体撮影システム。
【請求項９】
被写体の属性に関する情報である被写体属性情報を取得する被写体属性情報取得手段を有し、
前記被写体属性情報取得手段から得られた前記被写体属性情報に基づいて前記被写体の照明条件を調節する照明条件調節手段を有することを特徴とする被写体照明システム。
【請求項１０】
前記照明条件調節手段が行う照明条件の調節は、
前記被写体を照明する光線の前記被写体への入射方向の分布特性を調節するものであることを特徴とする請求項９に記載の被写体照明システム。
【発明の詳細な説明】
【技術分野】
【０００１】
この発明は、定められた撮影条件で被写体の撮影を行う被写体撮影システム及び被写体照明システムに関する。
【背景技術】
【０００２】
人物写真は、様々な写真の種類の中でも特によく撮影され、重要なものの一つである。その中でも顔の写真、或いは画像（以下、特記事項ない限り、同義とする）は、特に重要なものとして撮影され、扱われている。
【０００３】
一例として、個人を証明や認知する目的で撮影された顔写真が従来から広く用いられており、例えば、各種申請書類作成や、従業員証、学生証作成の目的で顔写真を簡単に撮影するシステムが開発され、用いられてきた。その一例として、被撮影者本人が自らボタン押下等の指示操作を行い、自らの顔写真を得る証明写真ボックスが、多数設置され、利用されている（例えば特許文献１）。
【特許文献１】特開平１０−２２８０６１号公報
【発明の開示】
【発明が解決しようとする課題】
【０００４】
これらは自動、低コストで顔写真を撮影することを主目的としているため、高い品位の写真が得られないことが非常に多いという問題を抱えていた。特許文献１では、被撮影者の顔部の特性値を抽出し、その特性値に応じて、照明光量を個別に調節する技術を用いることで、個人差を補正した一定の仕上りの被写体画像が得られるとしている。
【０００５】
しかしながら、好ましい顔画像とは、一定の調子を有するものと一概に決められるものではなく、顔の彫りの深さ、髪の量等で、様々に変化するものである。またさらに、好ましい顔写真のためには、瞳を生き生きと描写するキャッチライトが重要であるが、例えば眼鏡をかけた人の場合、眼鏡への光源映り込みは個人認証の目的にそぐわないため、慎重なライティングが必要である。眼鏡をかけた顔の特性は個々人によって異なるため、従来の証明写真ボックスのような固定ライティング、或いは、特許文献１のような手法では、十分な品位の顔画像撮影は困難であった。
【０００６】
この発明は、このような状況に鑑みてなされたものであり、前述の照明写真ボックスにとどまらず、スタジオポートレートを撮影する写真館や、その他様々な状況下で、個々人の属性に適合したそれぞれにとって好ましい人物画像、顔画像を得る被写体撮影システム、ならびに撮影システムに用いる被写体照明システムを提供することを目的とするものである。
【課題を解決するための手段】
【０００７】
前記課題を解決し、かつ目的を達成するために、この発明は、以下のように構成した。
【０００８】
請求項１に記載の発明は、被写体を撮影して被写体画像を取得する撮影手段と、
前記被写体の撮影条件を設定する撮影条件設定手段と、を備え、
前記撮影条件設定手段で定められた撮影条件で前記被写体の撮影を行う被写体撮影システムにおいて、
前記被写体の属性に関する情報である被写体属性情報を取得する被写体属性情報取得手段を具備し、
前記撮影条件設定手段は、前記被写体属性情報取得手段から得られた被写体属性情報に基づいて前記被写体の撮影条件を定めることを特徴とする被写体撮影システムである。
【０００９】
請求項２に記載の発明は、前記撮影条件設定手段は、
前記被写体の照明条件を調節する機能を有することを特徴とする、請求項１に記載の被写体撮影システムである。
【００１０】
請求項３に記載の発明は、前記撮影条件設定手段が行う照明条件の調節は、
前記被写体を照明する光線の前記被写体への入射方向の分布特性を調節するものであることを特徴とする請求項２に記載の被写体撮影システムである。
【００１１】
請求項４に記載の発明は、前記撮影手段は、
前記被写体画像の取得に先立ち、同一被写体を所定の撮影条件で撮影してプレ撮影画像を取得し、
前記被写体属性情報取得手段は、前記プレ撮影画像から前記被写体属性情報を抽出することを特徴とする請求項１乃至請求項３項のいずれか１項に記載の被写体撮影システムである。
【００１２】
請求項５に記載の発明は、前記被写体属性情報取得手段は、
被写体撮影システムのオペレータ、または、被写体人物自らが前記被写体属性情報を含む被写体情報を設定、指示する被写体情報入力手段を具備することを特徴とする請求項１乃至請求項３項のいずれか１項に記載の被写体撮影システムである。
【００１３】
請求項６に記載の発明は、前記被写体属性情報取得手段は、
複数の被写体属性情報抽出手法を有し、
さらに、前記被写体属性情報取得手段は、被写体撮影システムのオペレータ、または、被写体人物自らが被写体に関する情報である被写体情報を設定、指示する被写体情報入力手段を具備し、
前記被写体情報入力手段から得られた前記被写体情報に基づいて、前記複数の被写体属性情報抽出手法から選択して用いることを特徴とする請求項１乃至請求項４項のいずれか１項に記載の被写体撮影システムである。
【００１４】
請求項７に記載の発明は、前記被写体情報入力手段は、さらに、被写体の個人認証情報を取得し、
取得した個人認証情報に対応した被写体属性情報を取得することを特徴とする事を特徴とする請求項５または請求項６に記載の被写体撮影システムである。
【００１５】
請求項８に記載の発明は、前記被写体画像に画像処理を施して処理済画像情報を生成する画像処理手段を具備し、
前記画像処理は前記被写体属性情報に基づいて行われることを特徴とする請求項１乃至請求項７のいずれか１項に記載の被写体撮影システムである。
【００１６】
請求項９に記載の発明は、被写体の属性に関する情報である被写体属性情報を取得する被写体属性情報取得手段を有し、
前記被写体属性情報取得手段から得られた前記被写体属性情報に基づいて前記被写体の照明条件を調節する照明条件調節手段を有することを特徴とする被写体照明システムである。
【００１７】
請求項１０に記載の発明は、前記照明条件調節手段が行う照明条件の調節は、  前記被写体を照明する光線の前記被写体への入射方向の分布特性を調節するものであることを特徴とする請求項９に記載の被写体照明システムである。
【発明の効果】
【００１８】
前記構成により、この発明は、以下のような効果を有する。
【００１９】
請求項１に記載の発明では、被写体属性情報に基づいて被写体の撮影条件を定め、被写体の属性に適した撮影条件で被写体の撮影ができるので、個々の被写体の特性に合った好ましい写真画像の取得が簡単にできる。
【００２０】
請求項２に記載の発明では、被写体の照明条件を調節することで、この発明の効果がより好ましく実現できる。
【００２１】
請求項３に記載の発明では、被写体の照明条件として、被写体への入射方向の分布特性を調節することで、この発明の効果がさらに好ましく実現できる。
【００２２】
請求項４に記載の発明では、被写体のプレ撮影画像から被写体属性情報を取得するので、例えば照明写真ボックスのようなセルフサービスシステムでも、簡単な手続きでこの発明の効果が実現できる。
【００２３】
請求項５に記載の発明では、被写体情報入力手段により得られた被写体属性情報に基づいて撮影条件の設定ができるので、被写体の特性に合った、好ましい写真画像の取得が確実にできる。
【００２４】
請求項６に記載の発明では、複数の性能の異なる被写体属性情報抽出手法の中から、もっとも好ましい手法を用いて被写体属性情報の抽出ができるので、さらに好ましい結果が得られる。
【００２５】
請求項７に記載の発明では、運転免許証、パスポート、住民基本台帳情報カード、等の個人認証情報を元に、被写体属性情報を取得することができるため、手続きが簡単となる。また、被写体撮影が、例えば、前述のような証書の再発行時の手続きに用いるものであれば、これら手続きも簡略化され、好ましい。
【００２６】
請求項８に記載の発明では、被写体属性情報に対応したより好ましい画像処理が行えるので、個々の被写体の特性に合った好ましい写真画像の取得が簡単にできる。
【００２７】
請求項９に記載の発明では、被写体の属性に適した照明条件で被写体のライティングができるので、被写体の撮影をする際に、個々の被写体の特性に合った好ましい写真画像の取得が簡単にできる。
【００２８】
請求項１０に記載の発明では、被写体の照明条件として、被写体への入射方向の分布特性を調節することで、この発明の効果がさらに好ましく実現できる。
【発明を実施するための最良の形態】
【００２９】
以下、この発明の被写体撮影システムの実施の形態について説明するが、この発明は、この実施の形態に限定されない。また、この発明の実施の形態は、発明の最も好ましい形態を示すものであり、この発明の用語はこれに限定されない。  図１は被写体撮影システムの概略構成図である。この実施の形態の被写体撮影システム１は、図２に示すような証明写真ボックス１０、または図３に示すようにポートレートスタジオ２０に用いられる。
【００３０】
図２の証明写真ボックス１０は、撮影室１１と、機械室１２の隔離された箱状の筐体１３に設置され、広く一般に用いられている証明写真ボックス１０を形成することができる。撮影室１１に被写体である被撮影者が入り、椅子１４に腰掛け、料金投入口１５から料金を支払い、撮影手段１６であるＣＣＤカメラによって撮影を行うものである。撮影された顔写真画像は、現像処理されて写真プリントとして筐体１３の側部に設けられた排出部１７に出力される。この筐体１３の側部には鏡１８が設けられ、被撮影者が例えば髪型を整える場合等に用いられる。
【００３１】
図３のポートレートスタジオ２０は、椅子２１、背景幕２２、照明器具２３及び撮影カメラ２４が備えられている。このように、スタジオ内に各々のパーツを設置することで、ポートレートスタジオ２０として機能し、コンパクトな機材を写真店店頭に設置すれば簡易スタジオとして機能する。
【００３２】
この実施の形態の被写体撮影システム１は、撮影手段３０、撮影条件設定手段３１、被写体属性情報取得手段３２、被写体情報入力手段３３、照明調節器３４、照明条件調節手段３５、画像処理手段３６、画像出力手段３７、被写体検出／起動スイッチＳＷ１を有する。撮影条件設定手段３１には、インターネット３８を介して個人認証機関データベース３９が接続される。
【００３３】
この実施の形態の被写体撮影システム１は、画像処理手段３６、画像出力手段３７が必要であるが、一般に知られている手段（光学焼付け→現像や、デジタル画像取得→デジタル画像処理→画像記録紙、ＣＤＲ等のメディアに画像出力）で簡単に実現可能であるので、ここでは詳しくは説明しない。
【００３４】
この実施の形態では、複数個の照明調節器３４を被写体４０の周囲に設置し、照明条件調節手段３５で適宜調整することにより、撮影条件の一種である照明条件が様々に得られる。
【００３５】
照明条件として重要な要素に、光の柔らかさがある。光の柔らかさは、被写体４０を照明する光線の被写体４０への入射方向の分布特性を調節することで調節できる。具体的には、例えば光源の位置を変えずに、光源の発光部位の大きさを変化させれば良く、大きさを小さくすれば硬い光が、大きくすれば柔らかい光が得られる。
【００３６】
このように被写体撮影システム１は、被写体４０を撮影して被写体画像を取得する撮影手段３０と、被写体４０の撮影条件を設定する撮影条件設定手段３１とを備え、撮影条件設定手段３１で定められた撮影条件で被写体４０の撮影を行う。撮影手段３０は、フィルムに露光するカメラ、あるいはＣＣＤ等のイメージセンサを用いたデジタルカメラで構成される。
【００３７】
被写体属性情報取得手段３２は、被写体４０の属性に関する情報である被写体属性情報を取得し、撮影条件設定手段３１は、被写体属性情報取得手段３２から得られた被写体属性情報に基づいて被写体４０の撮影条件を定める。このように、被写体属性情報に基づいて被写体４０の撮影条件を定め、被写体４０の属性に適した撮影条件で被写体の撮影ができるので、個々の被写体４０の特性に合った好ましい写真画像の取得が簡単にできる。
【００３８】
撮影条件設定手段３１は、被写体４０の照明条件を調節する機能を有し、照明条件調節手段３５によって複数個の照明調節器３４を制御して被写体４０の照明条件を調節する照明システムとして機能する。被写体４０の照明条件を調節することで、この発明の効果がより好ましく実現できる。
【００３９】
この撮影条件設定手段３１が行う照明条件の調節は、複数個の照明調節器３４を制御して被写体４０を照明する光線の被写体４０への入射方向の分布特性を調節するものである。被写体４０の照明条件として、被写体４０への入射方向の分布特性を調節することで、この発明の効果がさらに好ましく実現できる。
【００４０】
また、撮影手段３０は、被写体画像の取得に先立ち、同一被写体４０を所定の撮影条件で撮影してプレ撮影画像を取得し、被写体属性情報取得手段３２は、プレ撮影画像から被写体属性情報を抽出する。即ち、プレ撮影画像から、被写体情報を抽出し、被写体属性情報を取得する。この際、被写体情報を予め取得して、これを用いて前提条件を設定し、より好ましい被写体属性情報取得手段３２を用いることができ、精度を高められる。
【００４１】
この被写体情報としては、性別、国籍、年齢、眼鏡利用、撮影目的等がある。この被写体情報は、例えば、後述するように、運転免許証、パスポート等の個人認証や保証を行う各種のＩＤ証から得ることが出来る。もちろん、被撮影者（被写体自ら）、あるいはＩＤ証から得られる。これらを用いる場合、更新手続のために顔画像を用いる場合など、旧証を機器に挿入、自動読み取り可能で非常に便利な機器となる。もちろん、被撮影者（被写体自ら）、あるいはオペレータにキー入力を依頼することでも可能である。
【００４２】
また、被写体属性情報としては、性別、国籍、年齢、眼鏡利用、撮影目的、等、被写体情報と同一のものや、さらに、顔の特徴→眼鏡、鼻梁、口唇、髪色、瞳色、肌色、眉型、髪の色、肌の状態（化粧、色調、テカリ、皺）、彫の深さ、着衣、等がある。
【００４３】
このような手法によって、被写体４０のプレ撮影画像から被写体属性情報を取得するので、例えば証明写真ボックス１０のようなセルフサービスシステムでも、簡単な手続きでこの発明の効果が実現できる。
【００４４】
この被写体属性情報取得手段３２は、被写体撮影システム１のオペレータ、または、被写体人物自らが被写体属性情報を含む被写体情報を設定、指示する被写体情報入力手段３３を具備する。この被写体情報入力手段３３により得られた被写体属性情報に基づいて撮影条件の設定ができるので、被写体４０の特性に合った、好ましい写真画像の取得が確実にできる。
【００４５】
また、被写体属性情報取得手段３２は、複数の被写体属性情報抽出手法を有し、さらに、被写体属性情報取得手段３２は、被写体撮影システム１のオペレータ、または、被写体人物自らが被写体に関する情報である被写体情報を設定、指示する被写体情報入力手段３３を具備し、被写体情報入力手段３３から得られた被写体情報に基づいて、前述の複数の被写体属性情報抽出手法から選択して用いることができる。画像から被写体属性の一種である構造を取得する手法は特に限定されたものではなく、例えば、被写体情報に基づいて適宜選択された画像エッジを検出するエッジ検出処理を行い、得られた画像エッジ情報に対して、画像処理技術としてよく知られているテンプレートマッチング処理を施し、被写体属性情報にかかわるパターンを抽出する手法を用いることができる。また、エッジ情報に対し、ハフ変換を施すことによって、直線、円、楕円等、特定の形態をあらわすエッジ情報のみを抽出し、前述したパターンマッチング処理を行っても良い。また、後述する３Ｄセンサを用いた立体情報取得、表面リモートセンサを用いた肌表面特性（光沢性、マット性、微細なしわの量、など）取得などを行っても良い。
【００４６】
また、被写体情報入力手段３３は、さらに、被写体の個人認証情報を取得し、取得した個人認証情報に対応した被写体属性情報を取得する。運転免許証、パスポート、住民基本台帳情報カード、等の個人認証情報を元に、被写体属性情報を取得することができるため、手続きが簡単となる。また、被写体撮影が、例えば、前述のような証書の再発行時の手続きに用いるものであれば、例えば、これらの旧証書を、被写体情報入力手段３３に具備された読み取り機器に挿入し、インターネット等の情報通信手段３８を通じて、担当する認証機関との情報交換を自動的に実施し、再交付手続きを簡略化することができ、好ましい。また同様の情報交換によって、より詳しい被写体情報、被写体属性情報を取得することもでき、説明してきたような、この発明の各種処理に用いることもできる。
【００４７】
この実施の形態のシステムは、  被写体画像に画像処理を施して処理済画像情報を生成する画像処理手段３６を具備し、画像処理は被写体属性情報に基づいて行われる。例えば、撮影する顔画像の利用目的が学校、企業等、各種団体の証書（学生証、社員証）である場合、例えば屋外体育系の学科、又は運送、建設系企業の場合、画像画像を若干濃色、褐色系に仕上げ、健康、活動的イメージを演出することができる。また、インドア系企業の場合、顔色を色白方向にシフトさせることで、清潔、安全のイメージを持つ画像形成ができる。このように、各々の団体が持つ印象に合わせた顔画像処理を行うことができる。同様に、個々人の目的、属性に応じた画像表現が可能であり、被写体属性情報に対応したより好ましい画像処理が行えるので、個々の被写体の特性や、撮影目的に合った好ましい写真画像の取得が簡単にできる。
【００４８】
また、被写体の属性に関する情報である被写体属性情報を取得する被写体属性情報取得手段３２を有し、被写体属性情報取得手段３２から得られた被写体属性情報に基づいて被写体４０の照明条件を調節する照明条件調節手段３５を有し、被写体４０の属性に適した照明条件で被写体４０のライティングができるので、被写体４０の撮影をする際に、個々の被写体４０の特性に合った好ましい写真画像の取得が簡単にできる。
【００４９】
この照明条件調節手段３５が行う照明条件の調節は、被写体４０を照明する光線の被写体４０への入射方向の分布特性を調節するものであり、被写体４０の照明条件として、被写体４０への入射方向の分布特性を調節することで、この発明の効果がさらに好ましく実現できる。
【００５０】
次に、照明調節器３４の実施の形態を、図４乃至図７に示す。
【００５１】
図４の実施の形態の照明調節器３４は、拡散箱３４ａ、拡散板３４ｂ、部分透過率調整パネル３４ｃ、単一の光源３４ｄを有する。拡散箱３４ａの内部には、単一の光源３４ｄが中心部に配置され、コントローラ３４ｅに備えられる照明条件調節手段３５によって部分透過率調整パネル３４ｃ、単一の光源３４ｄを制御する。部分透過率調整パネルは、例えば透過光量を調整できる、液晶パネルや、部分的に操作可能な、ベネシャンブラインド上のシャッタ機構で構成される。
【００５２】
図５の実施の形態の照明調節器３４は、拡散箱３４ａ、拡散板３４ｂ、複数の光源３４ｄを有する。拡散箱３４ａの内部には、複数の光源３４ｄが拡散板３４ｂに対向する面に配置され、コントローラ３４ｅに備えられる照明条件調節手段３５によって複数の光源３４ｄを制御する。この場合に用いられる拡散板３４ｂは、複数の光源３４ｄの制御効果が現れやすいように、前述図４の場合と比較して、弱い効果のものが好ましい。
【００５３】
図６の実施の形態の照明調節器３４は、ＥＬ素子またはＬＥＤによって構成される照明体３４ｆを有する。コントローラ３４ｅに備えられる照明条件調節手段３５によって照明体３４ｆを制御する。
【００５４】
図７の実施の形態の照明調節器３４は、拡散箱３４ａ、拡散板３４ｂ、単一のの光源３４ｄを有する。拡散箱３４ａには、拡散板３４ｂに対向する面に反射角または反射率を可変可能な素子３４ｇが配置され、コントローラ３４ｅに備えられる照明条件調節手段３５によって反射角または反射率を可変可能な素子３４ｇを制御する。素子３４ｇは、例えば小型の鏡に、鏡の表面の向く方向を変えるアクチュエータが結合されたものや、鏡の変わりに片面が白、もう１面が黒の薄板を、信号によって裏返す機構を用いることができる。
【００５５】
このように、被写体４０の周囲に設置し、照明条件調節手段３５で適宜調整することにより、撮影条件の一種である、照明条件が様々に得られる。
【００５６】
次に、この実施の形態の被写体撮影システム１の動作フローを図８乃至図１１に示す。
【００５７】
図８の実施の形態は、被写体が腰掛ける椅子、その他に設置された被写体検出センサ、或いは、起動スイッチＳＷ１のＯＮを検知してスタートする（ステップａ１）。次に、被写体検出／起動スイッチＳＷ１のＯＮでスタートし（ステップａ１）、個人認証カードで被写体情報入力手段３３により被写体情報入力する（ステップａ２）。
【００５８】
個人認証機関データベース３９から被写体属性情報取得する（ステップａ３）。または、オペレータ、または被写体本人によって被写体属性情報を入力する（ステップａ４）。
【００５９】
好ましい撮影条件を設定し（ステップａ５）、設定された撮影条件で撮影し画像取得し（ステップａ６）、現像処理、プリント処理、画像信号処理等、必要な処理を実施して終了する（ステップａ７）。
【００６０】
図９の実施の形態は、被写体検出／起動スイッチＳＷ１のＯＮでスタートし（ステップｂ１）、入力動作、またはオペレータ、または個人認証カードによって被写体情報を取得する（ステップｂ２）。
【００６１】
被写体属性情報抽出手法を選択し（ステップｂ３）、必要に応じ、プレ撮影する（ステップｂ４）。選択された被写体属性情報抽出手法を用いて被写体属性情報を取得する（ステップｂ５）。好ましい撮影条件を設定し（ステップｂ６）、設定された撮影条件で撮影し画像取得する（ステップｂ７）。現像処理、プリント処理、画像信号処理等、必要な処理を実施して終了する（ステップｂ８）。
【００６２】
図１０の実施の形態は、短い一定時間間隔をあけてプレ撮影、または動画像としてプレ撮影画像を取得してスタートし（ステップｃ１）、プレ撮影画像内に、被写体を検出したか否かの判断を行う（ステップｃ２）。プレ撮影画像に被写体が検出された場合（ステップｃ２：Ｙｅｓ）、プレ撮影画像から被写体抽出し、被写体属性情報を取得する（ステップｃ３）。
【００６３】
好ましい撮影条件を設定し（ステップｃ４）、設定された撮影条件で撮影し画像取得する（ステップｃ５）。現像処理、プリント処理、画像信号処理等、必要な処理を実施して終了する（ステップｃ６）。
【００６４】
図１１の実施の形態は、被写体検出／起動スイッチＳＷ１のＯＮでスタートし（ステップｄ１）、複数方向からプレ撮影または立体情報取得センサで情報取得し（ステップｄ２）、被写体の凹凸、立体形状情報を示す３Ｄ形態情報、そして、被写体表面、顔にあっては肌の状態を示す表面物性情報を取得する（ステップｄ３）。表面物性としては、色調、しわの多さのほかに、肌の透明度（表面反射と内面或いは深層反射の比率などであらわされる）、肌のテカリ（肌表面の反射光の拡散状態などであらわされる）がある。
【００６５】
得られた被写体情報を用いて被写体属性情報を取得する（ステップｄ４）。好ましい撮影条件を設定し（ステップｄ５）、設定された撮影条件で撮影し画像取得し（ステップｄ６）、現像処理、プリント処理、画像信号処理等、必要な処理を実施して終了する（ステップｄ７）。
【００６６】
この被写体撮影システム１での被写体属性と撮影条件の対応の一例を以下に示す。被写体属性として、縁（眼鏡フレーム。以下同じ）の太い眼鏡着用、縁の細い眼鏡着用、頭髪の薄い場合、彫の深い顔・色黒の顔、彫の浅い顔・色白の顔、厚化粧等がある。
［縁の太い眼鏡着用］
＜被写体属性情報抽出手法の好ましい例＞
・眼鏡テンプレートによるパターンマッチングを行ない、眼鏡位置を検出
・眼鏡の縁が生成する影情報を取得
・眼鏡レンズ表面の反射情報を取得
＜好ましい照明条件＞
・眼鏡の縁の影が見えにくい照明。下方からの光をカットし、正面〜上方からやわらかい光を照射
＜好ましい撮影条件＞
・眼鏡レンズ表面の反射情報を元にカメラ前に偏光フィルタ挿入
［縁の細い眼鏡着用］
＜被写体属性情報抽出手法の好ましい例＞
・眼鏡テンプレートによるパターンマッチングを行ない、眼鏡位置を検出
・眼鏡レンズ表面の反射情報を取得
＜好ましい照明条件＞
・眼鏡レンズ表面の反射がカメラ方向に入射しない照明配置
・眼鏡レンズ表面の反射が気にならない、フラットな面光源照射
＜好ましい撮影条件＞
・必要であれば、眼鏡レンズ表面の反射情報を元に、カメラ前に偏光フィルタを挿入。
【００６７】
偏光フィルタは、物質界面に斜めに当って表面反射した光が、偏光していることを利用し、偏光した光の透過光量を制限するフィルタである。これを、好ましく用いることにより、眼鏡レンズ表面で発生する反射を抑えることができる。偏光の方向は光線の反射の仕方によって異なるため、偏光フィルタを回転させて、目的の反射光が十分カットされる方向を選択すればよい。以下、肌のテカリ軽減の目的でも偏光フィルタを用いているが、用いる意味、利用方法は同一である。［頭髪の薄い場合］
＜被写体属性情報抽出手法の好ましい例＞
・肌領域を抽出し、頭部、額部の光源反射（テカリ）検出
＜好ましい照明条件＞
・トップライトを避ける、又は、頭部皮膚の反射（テカリ）像を画像から検出し、テカリが出ない照明条件を探索する。
【００６８】
具体的には、例えば、図１０に記載のフローのように、一定期間をあけて複数回画像採取し、そのたびごとに、図４乃至図７記載の照明装置を部分的に点灯、又は消灯していき、テカリ像の発生、或いは消滅を検知して、消滅した条件を用いればよい。この操作には多少の時間がかかるが、図１０のフローのように、被写体が所定位置に着席した時点から自動的に実施すれば、被写体自ら、或いはオペレータが、撮影内容等のセットをしている間に、照明条件の決定ができ、より好都合である。なおこの手法を、前述した眼鏡のレンズ表面の反射光が出にくいライティング条件の決定に用いても良いことはもちろんである。
【００６９】
・柔らかい光
＜好ましい撮影条件＞
・通常撮影
［彫の深い顔・色黒の顔］
＜被写体属性情報抽出手法の好ましい例＞
・肌色情報の検出（基準チャートとの比較等により）
・肌の凹凸情報
＜好ましい照明条件＞
・肌の凹部に光の回るライティング
・肌のテカリが出過ぎない照明。肌のテカリは、肌の表面反射で発生する。これは肌色の濃い状態でも、色白の場合でも、ほぼ同じように発生するため、濃い色の肌では目立ちやすく、彫りの深い顔の場合、陰影が強い関係で、やはり目立ちやすい。照明をやわらかく、即ち照明装置発光面の面積を大きくすることで、テカリを目立ちにくくする。
＜好ましい撮影条件＞
・必要に応じ、テカリ軽減の為偏光フィルタ挿入
・若干のオーバ露出
［彫の浅い顔・色白の顔］
＜被写体属性情報抽出手法の好ましい例＞
・肌色情報の検出（基準チャートとの比較等により）
・肌の凹凸情報
＜好ましい照明条件＞
・比較的、硬い、コントラストが強いライティング
即ち、前述のやわらかい照明とは逆に、照明装置の光を発する面積を小さく制限し、その制限された面積から強い光を照射することで、肌の微細なテクスチャや、凹凸が出やすい、硬い照明が得られる。また、例えば図１に示すような照明装置の配置の場合、被写体の左右に配置された照明装置の光量バランスを、どちらか一方を強くすることにより、陰影描写に優れた、コントラストの高い照明が得られる。
＜好ましい撮影条件＞
・通常撮影
［厚化粧］
＜被写体属性情報抽出手法の好ましい例＞
・化粧肌の光散乱特性
＜好ましい照明条件＞
・正面からの光を避け、陰影のあるライティング
即ち、前述のように、被写体の左右に配置された照明装置の光量バランスを、どちらか一方を強くすることにより、陰影をより強く描写でき、厚い化粧により乏しくなった肌の質感、微妙な変化をはっきりと描写し、好ましい顔画像が得られる。
＜好ましい撮影条件＞
・必要に応じ、偏光フィルタを挿入
【産業上の利用可能性】
【００７０】
この被写体撮影システム及び被写体照明システムは、定められた撮影条件で被写体の撮影を行うシステム等に適用できる。
【図面の簡単な説明】
【００７１】
【図１】被写体撮影システムの概略構成図である。
【図２】証明写真ボックスを示す図である。
【図３】ポートレートスタジオを示す図である。
【図４】照明調節器の実施の形態を示す図である。
【図５】照明調節器の実施の形態を示す図である。
【図６】照明調節器の実施の形態を示す図である。
【図７】照明調節器の実施の形態を示す図である。
【図８】被写体撮影システム１の動作フローチャートである。
【図９】被写体撮影システム１の動作フローチャートである。
【図１０】被写体撮影システム１の動作フローチャートである。
【図１１】被写体撮影システム１の動作フローチャートである。
【符号の説明】
【００７２】
１  被写体撮影システム
３０  撮影手段
３１  撮影条件設定手段
３２  被写体属性情報取得手段
３３  被写体情報入力手段
３４  照明調節器
３５  照明条件調節手段
３６  画像処理手段
３７  画像出力手段
３８  インターネット
【図１】
2005114928.tif 000003
【図２】
2005114928.tif 000004
【図３】
2005114928.tif 000005
【図４】
2005114928.tif 000006
【図５】
2005114928.tif 000007
【図６】
2005114928.tif 000008
【図７】
2005114928.tif 000009
【図８】
2005114928.tif 000010
【図９】
2005114928.tif 000011
【図１０】
2005114928.tif 000012
【図１１】
2005114928.tif 000013